(57)【要約】【課題】患者（顧客）が任意の薬局を選択できるようにする。【解決手段】各薬局１０４に設置され、薬局データ４Ｄ１を作成管理する薬局用端末４と、各医療機関１０２に設置され、薬の処方データを含む、各顧客の診察記録データ２Ｄ１を作成管理する医療機関用端末２と、データ管理機関１０３に設置され、各薬局の薬局データ及び各顧客の診察記録データを管理する管理機関用サーバ３と、金融機関１０６のホストコンピュータ６との間で取引処理を実行する機能、及び、処方箋を発行する機能を備える自動取引装置７とを有し、自動取引装置は、管理機関用サーバから特定の顧客用の処方データ３Ｄ１及び紹介薬局データ３Ｄ２を受信し、紹介薬局データの中に、複数の薬局に関するデータが含まれている場合に、複数の薬局の中から特定の薬局を選択させるための薬局選択画面を表示部に表示する。【選択図】図１
2011128825.tif 000002
【特許請求の範囲】
【請求項１】
各医療機関に設置され、薬の処方データを含む、患者である各顧客の診察記録データを作成管理する医療機関用端末と、
各種のデータを管理するデータ管理機関に設置され、各薬局の地理的位置を示す住所データを含む、薬局に関する薬局データ、及び、前記医療機関用端末によって作成された各顧客の前記診察記録データを管理する管理機関用サーバと、
金融機関のホストコンピュータとの間で取引処理を実行する機能、及び、処方箋を発行する機能を備える自動取引装置とを有し、
前記管理機関用サーバは、前記自動取引装置から特定の顧客用の処方データの送信要求を受信した場合に、各顧客の前記診察記録データの中から該当する前記特定の顧客用の処方データを抽出するとともに、各薬局の前記薬局データに基づいて、送信元の前記自動取引装置から所定の範囲内に位置する１又は複数の薬局を、前記特定の顧客に紹介するための紹介薬局として特定し、特定された紹介薬局に関する紹介薬局データとともに、抽出された前記特定の顧客用の処方データを送信元の前記自動取引装置に送信し、
前記自動取引装置は、前記管理機関用サーバから前記特定の顧客用の処方データ及び前記紹介薬局データを受信し、前記紹介薬局データの中に、単一の紹介薬局に関するデータしか含まれていない場合に、当該単一の紹介薬局を指定する画面を表示部に表示した後、前記特定の顧客用の処方データに基づいて、当該単一の紹介薬局に関する画像を含む、前記処方箋を発行し、一方、前記紹介薬局データの中に、複数の紹介薬局に関するデータが含まれている場合に、前記特定の顧客に複数の紹介薬局の中から所望の薬局を選択させるための薬局選択画面を前記表示部に表示して前記特定の顧客に選択させ、前記特定の顧客が選択したときに、前記特定の顧客用の処方データに基づいて、当該選択された薬局に関する画像を含む、前記処方箋を発行する
ことを特徴とする処方箋発行システム。
【請求項２】
請求項１に記載の処方箋発行システムにおいて、
さらに、各薬局に設置され、前記薬局データを作成管理する薬局用端末を有し、
前記自動取引装置は、前記紹介薬局データの中に、単一の紹介薬局に関するデータしか含まれていない場合、又は、前記薬局選択画面に基づいて、前記特定の顧客によって所望の薬局が選択された場合に、前記処方箋を前記特定の顧客に発行するとともに、前記特定の顧客用の処方データを前記薬局用端末に送信する
ことを特徴とする処方箋発行システム。
【請求項３】
請求項２に記載の処方箋発行システムにおいて、
前記自動取引装置は、薬代の支払い取引を実行して、決済が終了したときに、前記処方箋を前記特定の顧客に発行するとともに、前記特定の顧客用の処方データを前記薬局用端末に送信する
ことを特徴とする処方箋発行システム。
【請求項４】
請求項１乃至請求項３のいずれか一項に記載の処方箋発行システムにおいて、
さらに、顧客の保険データを管理する保険機関に設置され、前記薬局用端末から特定の顧客の保険データの確認要求を受信した場合に、当該特定の顧客の保険が有効か否かを確認して、確認結果を前記薬局用端末に送信する保険機関用サーバを有する
ことを特徴とする処方箋発行システム。
【請求項５】
金融機関のホストコンピュータとの間で取引処理を実行する自動取引装置と通信を行う通信部と、
各薬局の地理的位置を示す住所データを含む、薬局に関する薬局データを記憶する薬局データ記憶部と、
薬の処方データを含む、各顧客の前記診察記録データを記憶する診察記録データ記憶部と、
前記通信部が前記自動取引装置から特定の顧客用の処方データの送信要求を受信した場合に、前記診察記録データ記憶部に記憶された各顧客の前記診察記録データの中から該当する前記特定の顧客用の処方データを抽出する患者データ管理部と、
前記薬局データ記憶部に記憶された各薬局の前記薬局データに基づいて、送信元の前記自動取引装置から所定の範囲内に位置する１又は複数の薬局を、前記特定の顧客に紹介するための紹介薬局として特定し、特定された紹介薬局を前記特定の顧客に紹介するための紹介薬局データを作成する紹介薬局データ作成部とを備え、
前記通信部は、前記患者データ管理部によって抽出された前記特定の顧客用の処方データと、前記紹介薬局データ作成部によって作成された前記紹介薬局データとを、前記自動取引装置へ送信する
ことを特徴とする管理機関用サーバ。
【請求項６】
請求項５に記載の管理機関用サーバにおいて、
前記薬局データ記憶部は、薬剤師の在席予定時間を表す在席予定データを含む、各薬局の前記薬局データを記憶しており、
前記紹介薬局データ作成部は、
抽出された前記特定の顧客用の処方データの中に第一類の薬のデータが含まれている場合に、
前記薬局データ記憶部に記憶された各薬局の前記薬局データに基づいて、送信元の前記自動取引装置から所定の範囲内に位置する１又は複数の薬局で、かつ、現時刻が薬剤師の在席予定時間内となっている薬局を、前記紹介薬局として特定し、特定された紹介薬局を対象にして前記紹介薬局データを作成する
ことを特徴とする管理機関用サーバ。
【請求項７】
請求項５又は請求項６に記載の管理機関用サーバにおいて、
前記患者データ管理部は、各薬局に設置され、前記薬局データを作成管理する薬局用端末、各医療機関に設置され、前記処方データを含む前記診察記録データを作成管理する医療機関用端末、及び、前記自動取引装置の中のいずれかの装置から特定の顧客の診察記録データの送信要求又は前記特定の顧客用の処方データの送信要求を受信した場合に、前記診察記録データ記憶部に記憶された各顧客の前記診察記録データの中から該当する前記特定の顧客の診察記録データ又は前記特定の顧客用の処方データを抽出し、
前記通信部は、前記患者データ管理部によって抽出された前記特定の顧客の診察記録データ又は前記特定の顧客用の処方データを送信元の装置へ送信する
ことを特徴とする管理機関用サーバ。
【請求項８】
金融機関のホストコンピュータとの間で通信を実行する通信部と、
患者であった特定の顧客が医療機関で診察を受けた際に発行される診察カードから、少なくとも、当該医療機関での当該特定の顧客の識別データを含む、診察カードデータを読み取るカードリーダと、
記録紙に各種の画像を印刷する印字部と、
各種の画像を表示する表示部と、
前記印字部に、処方箋を印刷させる処方箋発行制御部とを有し、
前記処方箋発行制御部は、
前記通信部に、前記医療機関での前記顧客の診察記録データを管理するデータ管理機関に設置された管理機関用サーバとの通信を実行させて、当該管理機関用サーバから、前記カードリーダによって読み取られた前記診察カードデータの前記識別データに対応する前記医療機関で作成された前記特定の顧客用の処方データと、当該自動取引装置から所定の範囲内に位置する１又は複数の薬局を前記特定の顧客に紹介するための紹介薬局とする紹介薬局データとを受信させ、
前記紹介薬局データの中に、単一の紹介薬局に関するデータしか含まれていない場合に、前記表示部に、当該単一の紹介薬局を指定する画面を表示させた後、前記特定の顧客用の処方データに基づいて、前記印字部に、当該単一の紹介薬局に関する画像を含む、前記処方箋を印刷させ、
一方、前記紹介薬局データの中に、複数の紹介薬局に関するデータが含まれている場合に、前記表示部に、前記特定の顧客に複数の紹介薬局の中から所望の薬局を選択させるための薬局選択画面を表示させ、前記特定の顧客によって当該所望の薬局が選択されたときに、前記印字部に、前記特定の顧客用の処方データに基づいて、当該選択された薬局に関する画像を含む、前記処方箋を印刷させる
ことを特徴とする自動取引装置。
【請求項９】
請求項８に記載の自動取引装置において、
さらに、薬代の支払い取引を実行する決済処理制御部を有し、
前記処方箋発行制御部は、
前記決済処理制御部による薬代の支払い取引の決済が終了したときに、前記印字部に、前記処方箋を印刷させるとともに、前記通信部に、前記特定の顧客用の処方データを該当する薬局に設置された薬局用端末に送信させる
ことを特徴とする自動取引装置。
【請求項１０】
請求項８又は請求項９に記載の自動取引装置において、
前記決済処理制御部は、薬代分の金銭データを、前記ホストコンピュータが管理している前記特定の顧客の口座から薬代の支払い取引用の口座に移させることによって、薬代の支払い取引を実行する
ことを特徴とする自動取引装置。
【請求項１１】
請求項８又は請求項９に記載の自動取引装置において、
前記決済処理制御部は、前記特定の顧客に、薬代分の金銭を入出金口に投入させることによって、薬代の支払い取引を実行する
ことを特徴とする自動取引装置。
【請求項１２】
請求項８乃至１１のいずれか一項に記載の自動取引装置において、
前記処方箋発行制御部は、
前記診察カードデータの中に、前記医療機関での薬の処方日を表す処方日データとして、複数の日付データが含まれている場合に、
前記表示部に、複数の処方日に対応する薬の中から特定の薬を前記特定の顧客に選択させるための薬選択画面を表示させる
ことを特徴とする自動取引装置。
【発明の詳細な説明】
【技術分野】
【０００１】
本発明は、金融機関のホストコンピュータとの間で取引処理を実行する自動取引装置によって、薬の処方箋を患者に発行する処方箋発行システム、並びに、当該処方箋発行システムに用いる管理機関用サーバ及び自動取引装置に関する。
【背景技術】
【０００２】
従来、金融機関のホストコンピュータとの間で取引処理を実行する自動取引装置によって医療費を支払うシステムがある（例えば、特許文献１、特許文献２参照）。
特許文献１や特許文献２に開示された従来のシステムは、医療費データに基づいて、金融機関に予め設けられている医療機関の口座に対して医療費の支払い取引を行っている。
また、従来のシステムは、ＡＴＭを介して処方箋の発行を行っていても、特定の薬局に対して処方箋を持ち運び、薬を処方してもらっている。
【先行技術文献】
【特許文献】
【０００３】
【特許文献１】特開２００３−７６８６６号公報
【特許文献２】特開２００６−１０７２１８号公報
【発明の概要】
【発明が解決しようとする課題】
【０００４】
従来のシステムは、医療機関が一括して、医療費（診察代や薬代等の料金）の支払い取引及び処方箋の発行を行う。そのため、従来のシステムは、患者（顧客）が任意の薬局（例えば、患者の医療機関からの帰宅路上にある薬局等）を選択することができない、という課題があった。
また、患者は、医療機関で新たに診察を受けることなく、過去の診察で処方された薬を入手したいという要望がある。しかしながら、従来のシステムは、患者の診察記録や処方された薬の履歴等のデータの利用が特定の組織（例えば、患者を診察した医療機関等）に制限されている。そのため、患者は、医療機関で新たに診察を受けることなく、過去の診察で処方された薬を入手することができない、という課題があった。
【０００５】
本発明は、前記した課題を解決するためになされたものであり、患者（顧客）が任意の薬局を選択することができる処方箋発行システムを提供することを主な目的とする。
【課題を解決するための手段】
【０００６】
前記目的を達成するため、第1発明は、処方箋発行システムであって、各医療機関に設置され、薬の処方データを含む、患者である各顧客の診察記録データを作成管理する医療機関用端末と、各種のデータを管理するデータ管理機関に設置され、各薬局の地理的位置を示す住所データを含む、薬局に関する薬局データ、及び、前記医療機関用端末によって作成された各顧客の前記診察記録データを管理する管理機関用サーバと、金融機関のホストコンピュータとの間で取引処理を実行する機能、及び、処方箋を発行する機能を備える自動取引装置とを有し、前記管理機関用サーバは、前記自動取引装置から特定の顧客用の処方データの送信要求を受信した場合に、各顧客の前記診察記録データの中から該当する前記特定の顧客用の処方データを抽出するとともに、各薬局の前記薬局データに基づいて、送信元の前記自動取引装置から所定の範囲内に位置する１又は複数の薬局を、前記特定の顧客に紹介するための紹介薬局として特定し、特定された紹介薬局に関する紹介薬局データとともに、抽出された前記特定の顧客用の処方データを送信元の前記自動取引装置に送信し、前記自動取引装置は、前記管理機関用サーバから前記特定の顧客用の処方データ及び前記紹介薬局データを受信し、前記紹介薬局データの中に、単一の紹介薬局に関するデータしか含まれていない場合に、当該単一の紹介薬局を指定する画面を表示部に表示した後、前記特定の顧客用の処方データに基づいて、当該単一の紹介薬局に関する画像を含む、前記処方箋を発行し、一方、前記紹介薬局データの中に、複数の紹介薬局に関するデータが含まれている場合に、前記特定の顧客に複数の紹介薬局の中から所望の薬局を選択させるための薬局選択画面を前記表示部に表示して前記特定の顧客に選択させ、前記特定の顧客が選択したときに、前記特定の顧客用の処方データに基づいて、当該選択された薬局に関する画像を含む、前記処方箋を発行する構成とする。
【０００７】
この処方箋発行システムは、自動取引装置が、管理機関用サーバから特定の顧客用の処方データ及び紹介薬局データを受信し、紹介薬局データの中に、単一の紹介薬局に関するデータしか含まれていない場合に、単一の紹介薬局に関する画面を表示部に表示し、一方、紹介薬局データの中に、複数の紹介薬局に関するデータが含まれている場合に、特定の顧客に複数の紹介薬局の中から所望の薬局を選択させるための薬局選択画面を表示部に表示する。そのため、この処方箋発行システムは、顧客にとって都合のよい任意の薬局を顧客に選択させることができる。
【０００８】
なお、この処方箋発行システムは、管理機関用サーバが、自動取引装置から、特定の顧客用の処方データの送信要求として、過去の診察で顧客に処方された薬を特定するデータ（例えば、その薬が処方された日付を表す処方日データ等）を受信した場合に、その薬の処方データを抽出することができる。そのため、この処方箋発行システムは、患者が、医療機関で新たに診察を受けることなく、過去の診察で処方された薬を入手することができる。
【０００９】
また、第２発明は、管理機関用サーバであって、金融機関のホストコンピュータとの間で取引処理を実行する自動取引装置と通信を行う通信部と、各薬局の地理的位置を示す住所データを含む、薬局に関する薬局データを記憶する薬局データ記憶部と、薬の処方データを含む、各顧客の前記診察記録データを記憶する診察記録データ記憶部と、前記通信部が前記自動取引装置から特定の顧客用の処方データの送信要求を受信した場合に、前記診察記録データ記憶部に記憶された各顧客の前記診察記録データの中から該当する前記特定の顧客用の処方データを抽出する患者データ管理部と、前記薬局データ記憶部に記憶された各薬局の前記薬局データに基づいて、送信元の前記自動取引装置から所定の範囲内に位置する１又は複数の薬局を、前記特定の顧客に紹介するための紹介薬局として特定し、特定された紹介薬局を前記特定の顧客に紹介するための紹介薬局データを作成する紹介薬局データ作成部とを備え、前記通信部は、前記患者データ管理部によって抽出された前記特定の顧客用の処方データと、前記紹介薬局データ作成部によって作成された前記紹介薬局データとを、前記自動取引装置へ送信する構成とする。
【００１０】
この管理機関用サーバは、患者データ管理部が、金融機関のホストコンピュータとの間で取引処理を実行する自動取引装置から、特定の顧客用の処方データの送信要求を受信した場合に、診察記録データ記憶部に記憶された各顧客の診察記録データの中から該当する特定の顧客用の処方データを抽出するとともに、紹介薬局データ作成部が、薬局データ記憶部に記憶された各薬局の前記薬局データに基づいて、送信元の自動取引装置から所定の範囲内に位置する１又は複数の薬局を紹介薬局として特定し、特定された紹介薬局を特定の顧客に紹介するための紹介薬局データを作成し、通信部が、特定の顧客用の処方データと、紹介薬局データとを、送信元の自動取引装置へ送信する。
【００１１】
また、第３発明は、自動取引装置であって、金融機関のホストコンピュータとの間で通信を実行する通信部と、患者であった特定の顧客が医療機関で診察を受けた際に発行される診察カードから、少なくとも、当該医療機関での当該特定の顧客の識別データを含む、診察カードデータを読み取るカードリーダと、記録紙に各種の画像を印刷する印字部と、各種の画像を表示する表示部と、前記印字部に、処方箋を印刷させる処方箋発行制御部とを有し、前記処方箋発行制御部は、前記通信部に、前記医療機関での前記顧客の診察記録データを管理するデータ管理機関に設置された管理機関用サーバとの通信を実行させて、当該管理機関用サーバから、前記カードリーダによって読み取られた前記診察カードデータの前記識別データに対応する前記医療機関で作成された前記特定の顧客用の処方データと、当該自動取引装置から所定の範囲内に位置する１又は複数の薬局を前記特定の顧客に紹介するための紹介薬局とする紹介薬局データとを受信させ、前記紹介薬局データの中に、単一の紹介薬局に関するデータしか含まれていない場合に、前記表示部に、当該単一の紹介薬局を指定する画面を表示させた後、前記特定の顧客用の処方データに基づいて、前記印字部に、当該単一の紹介薬局に関する画像を含む、前記処方箋を印刷させ、一方、前記紹介薬局データの中に、複数の紹介薬局に関するデータが含まれている場合に、前記表示部に、前記特定の顧客に複数の紹介薬局の中から所望の薬局を選択させるための薬局選択画面を表示させ、前記特定の顧客によって当該所望の薬局が選択されたときに、前記印字部に、前記特定の顧客用の処方データに基づいて、当該選択された薬局に関する画像を含む、前記処方箋を印刷させる構成とする。
【００１２】
この自動取引装置は、処方箋発行制御部が、通信部に、管理機関用サーバから、カードリーダによって読み取られた診察カードデータの識別データに対応する医療機関で特定の顧客用に作成された薬の処方データと、自動取引装置から所定の範囲内に位置する１又は複数の薬局を特定の顧客に紹介するための紹介薬局とする紹介薬局データとを受信させ、紹介薬局データの中に、単一の薬局に関するデータしか含まれていない場合に、表示部に、単一の薬局に関する画面を表示させ、一方、紹介薬局データの中に、複数の薬局に関するデータが含まれている場合に、表示部に、特定の顧客に複数の薬局の中から特定の薬局を選択させるための薬局選択画面を表示させる。
【発明の効果】
【００１３】
第１発明によれば、患者（顧客）が任意の薬局を選択することができる処方箋発行システムを提供することができる。
また、第２発明によれば、第１発明に係る処方箋発行システムに供する管理機関用サーバを提供することができる。
さらに、第３発明によれば、第１発明に係る処方箋発行システムに供する自動取引装置を提供することができる。
【図面の簡単な説明】
【００１４】
【図１】実施形態に係る処方箋発行システムの構成を示す図である。
【図２】実施形態に係る医療機関用端末の構成を示す図である。
【図３】実施形態に係る管理機関用サーバの構成を示す図である。
【図４】実施形態に係る薬局用端末の構成を示す図である。
【図５】実施形態に係る保険機関用サーバの構成を示す図である。
【図６】実施形態に係る金融機関のホストコンピュータの構成を示す図である。
【図７】実施形態に係る自動取引装置の構成を示す図である。
【図８】実施形態で用いるデータの構成を示す図（１）である。
【図９】実施形態で用いるデータの構成を示す図（２）である。
【図１０】実施形態で用いるデータの構成を示す図（３）である。
【図１１】実施形態で用いるデータの構成を示す図（４）である。
【図１２】実施形態に係る自動取引装置で発行される処方箋の構成を示す図である。
【図１３Ａ】実施形態に係る処方箋発行システムの動作を示すフローチャート（１）である。
【図１３Ｂ】実施形態に係る処方箋発行システムの動作を示すフローチャート（２）である。
【図１４】実施形態に係る処方箋発行システムの動作の説明図である。
【図１５】実施形態に係る自動取引装置の画面表示例を示す図（１）である。
【図１６】実施形態に係る自動取引装置の画面表示例を示す図（２）である。
【発明を実施するための形態】
【００１５】
以下、図面を参照して、本発明の実施の形態（以下、「本実施形態」と称する）につき詳細に説明する。ここでは、本実施形態を、「処方箋発行システムの構成」、「各装置の主な機能」、「各装置の構成」、「データの構成」、「自動取引装置で発行される処方箋の構成」、及び、「処方箋発行システムの動作」の順に、説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
＜処方箋発行システムの構成＞
以下、図１を参照して、本実施形態に係る処方箋発行システムの構成につき説明する。図１は、実施形態に係る処方箋発行システムの構成を示す図である。
【００１７】
図１に示す処方箋発行システム１は、銀行や、郵便局、信用金庫、農協等の金融機関１０６のホストコンピュータ６との間で取引処理を実行する自動取引装置７に、薬の処方箋１０を発行させるためのシステムである。
【００１８】
図１に示すように、処方箋発行システム１は、医療機関用端末２、管理機関用サーバ３、薬局用端末４、保険機関用サーバ５、ホストコンピュータ６、及び、自動取引装置７を有している。これらの各装置は、有線又は無線によるネットワーク９を介して、通信可能に接続されている。ここでは、まず、各装置の概要のみを説明し、各装置の詳細については、「各装置の構成」の章で説明する。また、本実施形態で用いるデータについては、「データの構成」の章で説明する。
【００１９】
医療機関用端末２は、病院や、医院、診療所等の各医療機関１０２に設置されたパーソナルコンピュータである。医療機関用端末（以下、「医療機関用ＰＣ」と称する）２は、各医療機関１０２が患者を診察した際に作成する診察記録データ２Ｄ１の作成管理機能や、各医療機関１０２が患者を診察した際に発行する診察カード８に書き込む診察カードデータ２Ｄ２の作成機能等を有している。医療機関用端末２は、患者が医療機関１０２で診察を受けた場合に、患者の診察記録に関するデータ（以下、「診察記録データ」と称する）２Ｄ１を作成して自身で管理するとともに、作成した患者の診察記録データ２Ｄ１をデータ管理機関１０３の管理機関用サーバ３に送信して、患者の診察記録データ２Ｄ１を管理機関用サーバ３に登録させる。また、医療機関用端末２は、診察カード８に書き込むデータ（以下、「診察カードデータ」と称する）２Ｄ２を作成し、診察カードデータ２Ｄ２を診察カード８に書き込んで、診察カード８を患者に発行する。
【００２０】
管理機関用サーバ３は、医療機関１０２及び薬局１０４に関する各種のデータを管理する公共の機関（以下、「データ管理機関」と称する）１０３に設置されたサーバである。管理機関用サーバ３は、医療機関用端末２から送信される各患者の診察記録データ２Ｄ１の管理機能や、薬局用端末４から送信される薬局データ４Ｄ１の管理機能等を有している。なお、ここで、「管理機能」とは、各種の処理を円滑に実行するために、データを記憶（更新）し、利用することを意味している。
【００２１】
薬局用端末４は、各薬局１０４に設置されたパーソナルコンピュータである。薬局用端末（以下、「薬局ＰＣ」と称する）４は、各薬局１０４に関するデータ（以下、「薬局データ」と称する）４Ｄ１の作成管理機能を有している。薬局用端末４は、定期的に、住所データを含む薬局データ４Ｄ１を作成して自身で管理するとともに、作成した薬局データ４Ｄ１をデータ管理機関１０３の管理機関用サーバ３に送信して、薬局データ４Ｄ１を管理機関用サーバ３に登録させる。
【００２２】
保険機関用サーバ５は、健康保険に関する各種のデータを管理する公共の保険機関１０５に設置されたサーバである。保険機関用サーバ５は、各被保険者の保険データの管理機能を有している。保険機関用サーバ５は、処方箋発行システム１を構成する各装置から、患者（顧客）の健康保険が有効か否かを問い合わせる要求（以下、「保険確認要求」と称する」）を受信すると、これに応答して、記憶部５２（図５参照）に予め記憶されている患者（顧客）の保険データを参照して、患者（顧客）の健康保険が有効か否かを判定する。なお、図１に示す例には、薬局ＰＣ４から送信された保険確認要求４Ｄ２のみを示しているが、薬局ＰＣ４以外の各装置も「保険確認要求」を送信することができる。そして、保険機関用サーバ５は、患者（顧客）の健康保険が有効か否かの結果を表す信号（例えば、「ＯＫ」信号又は「ＮＧ」信号）を、保険確認要求（図１に示す例では、保険確認要求４Ｄ２）の送信元の装置に送信する。以下、患者（顧客）の健康保険が有効か否かの結果を表す信号を、「保険確認結果５Ｄ１」と称する。
【００２３】
ホストコンピュータ６は、金融機関１０６に設置されたコンピュータである。ホストコンピュータ６は、各顧客の口座の管理機能を有している。なお、各顧客は、医療機関１０２で診察を受けることによって患者となる。
【００２４】
自動取引装置（以下、「ＡＴＭ」と称する）７は、金融機関１０６のホストコンピュータ６との間で取引処理を実行する装置である。ＡＴＭ７は、入金機能、出金機能、決済処理機能、処方箋発行機能等を有している。なお、ここでは、「決済処理機能」とは、顧客の医療費（診察代や薬代等の料金）の支払い取引を実行する機能を意味している。ＡＴＭ７は、主に金融機関の施設（例えば、本店や、支店、出張店等）に設置されているが、金融機関以外の施設、例えば、コンビニエンスストアやスーパーマーケット等の流通機関の店舗、市役所や病院、駅、空港等の公共の施設、工場や事務所等の私企業、地下街、街頭、駐車場その他に設置されているものもある。
【００２５】
ＡＴＭ７は、例えば、患者である顧客が薬の処方箋１０の発行を指示する場合に、顧客によって所持された診察カード８から診察カードデータ２Ｄ２を読み取り、読み取った診察カードデータ２Ｄ２に含まれているデータ（例えば、各医療機関１０２での特定の顧客の診察記録データ２Ｄ１にアクセスするための識別データ）に基づいて、顧客の処方データを送信させる要求（以下、「処方データ送信要求」と称する）７Ｄ１を作成して、データ管理機関１０３の管理機関用サーバ３に送信する。以下、薬の処方箋１０の発行をＡＴＭ７に指示した顧客を、一般的な顧客と区別する場合に、「特定の顧客」と称する。管理機関用サーバ３は、これに応答して、記憶部３２（図３参照）に記憶されている各患者（顧客）の診察記録データ２Ｄ１の中から、特定の顧客の処方データ３Ｄ１を抽出し、抽出した処方データ３Ｄ１をＡＴＭ７に送信する。なお、このとき、管理機関用サーバ３は、送信元のＡＴＭ７から所定の範囲内に位置する１又は複数の薬局１０４を特定し、特定された薬局１０４に関するデータを紹介薬局データ３Ｄ２とし、処方データ３Ｄ１とともに、紹介薬局データ３Ｄ２を送信元のＡＴＭ７に送信する。
【００２６】
ＡＴＭ７は、管理機関用サーバ３から特定の顧客の処方データ３Ｄ１及び紹介薬局データ３Ｄ２を受信すると、医療費（診察代や薬代等の料金）の支払い取引を行う。支払い取引は、後記する通り、現金決済又は口座決済によって、行われる。ＡＴＭ７は、支払い取引を後記する現金決済によって行う場合に、特定の顧客に、請求料金以上の現金を投入させて、釣銭があれば釣銭を特定の顧客に戻すとともに、金融機関１０６のホストコンピュータ６に、請求料金分の金銭データを、ホストコンピュータ６によって管理されている薬局や医療機関への支払い用の口座に記憶させる。また、ＡＴＭ７は、支払い取引を後記する口座決済によって行う場合に、後記する決済要求７Ｄ２を金融機関１０６のホストコンピュータ６に送信する。これに応答して、ホストコンピュータ６は、請求料金に相当する金銭データを特定の顧客の口座から薬代の支払い取引用の口座に移す。
【００２７】
また、ＡＴＭ７は、紹介薬局データ３Ｄ２の中に、単一の薬局Ａ（図１参照）に関するデータしか含まれていない場合に、その薬局Ａを指定する画面を表示部７４（図７参照）に表示する。これにより、ＡＴＭ７は、その薬局Ａを特定の顧客に紹介する。一方、ＡＴＭ７は、紹介薬局データ３Ｄ２の中に、複数の薬局Ａ〜Ｎ（図１参照）に関するデータが含まれている場合に、特定の顧客に複数の薬局の中から特定の薬局を選択させるための薬局選択画面７４ｅ（図１６（ｂ）参照）を表示部７４に表示する。これにより、ＡＴＭ７は、特定の顧客にとって都合のよい薬局を選択させる。
【００２８】
ＡＴＭ７は、医療費（診察代や薬代等の料金）の支払い取引の決済が終了すると、処方箋１０を特定の顧客に発行するとともに、顧客の処方データ７Ｄ３を後記する選択薬局の薬局ＰＣ４に送信する。これにより、後記する選択薬局は、特定の顧客が来店する前に、特定の顧客の処方データ７Ｄ３によって指定された薬の収納場所や、混同し易い薬の確認を事前に行うことができる。そのため、後記する選択薬局は、特定の顧客が来店すると、薬の仕分け作業や調合作業を速やかに行うことができる。又は、後記する選択薬局は、特定の顧客が来店する前に、薬の仕分け作業や調合作業を済ませておくこともできる。
【００２９】
このような処方箋発行システム１は、以下の特徴を有している。
処方箋発行システム１は、各医療機関１０２や各薬局１０４がデータ管理機関１０３と提携することにより、患者の診察記録データ２Ｄ１や薬局データ４Ｄ１等のデータを、データ管理機関１０３に設けられた管理機関用サーバ３に記憶する構成となっている。このとき、診察記録データ２Ｄ１の中に薬の処方データが含まれていれば、併せて管理機関用サーバ３に記憶される。
【００３０】
また、処方箋発行システム１は、各医療機関１０２や各薬局１０４が保険機関１０５と提携することにより、患者の健康保険が有効であるか否かを、各医療機関１０２に設けられた医療機関用ＰＣ２や各薬局１０４に設けられた薬局用ＰＣ４から保険機関１０５に設けられた保険機関用サーバ５に問い合わせて確認する構成となっている。
【００３１】
また、処方箋発行システム１は、各医療機関１０２や各薬局１０４が金融機関１０６と提携することにより、患者が自動取引装置７を利用して医療費（診察代や薬代等の料金）の支払い取引を行える構成となっている。
【００３２】
＜各装置の主な機能＞
（医療機関用端末の主な機能）
（１）医療機関用ＰＣ２は、医療機関１０２が患者を診察した場合に、薬の処方データを含む、患者の診察記録データ２Ｄ１を管理機関用サーバ３に送信して、患者の診察記録データ２Ｄ１を管理機関用サーバ３に登録させる。
【００３３】
（２）医療機関用ＰＣ２は、医療機関１０２が患者を診察した場合に、診察カードデータ２Ｄ２を診察カード８に書き込み、診察カード８を患者に発行する。
【００３４】
（管理機関用サーバの主な機能）
（１）管理機関用サーバ３は、薬局用ＰＣ４から送信される薬局データ３Ｄ１を登録し、管理する。
【００３５】
（２）管理機関用サーバ３は、医療機関用ＰＣ２から送信される、薬の処方データを含む、各患者の診察記録データ２Ｄ１を登録し、管理する。
【００３６】
（３）管理機関用サーバ３は、薬局データ４Ｄ１に基づいて各薬局１０４の住所を管理しており、ＡＴＭ７から処方データ送信要求７Ｄ１を受信した場合に、送信元のＡＴＭ７から所定の範囲内に位置する１又は複数の薬局１０４（以下、「送信元のＡＴＭ７の近隣の薬局１０４」と称する）を特定し、特定された薬局１０４に関するデータを顧客に提示するための紹介薬局データ３Ｄ２として送信元のＡＴＭ７に送信する。
【００３７】
（４）管理機関用サーバ３は、薬局データ４Ｄ１に基づいて各薬局１０４で勤務している薬剤師の在席予定（時間）を管理しており、ＡＴＭ７から処方データ送信要求７Ｄ１を受信した場合に、処方データ送信要求７Ｄ１によって特定される１又は複数の薬が第一類の薬であるか否かを判定する。管理機関用サーバ３は、特定される１又は複数の薬が第一類の薬でれば、各薬剤師の在席予定に基づいて、送信元のＡＴＭ７の近隣の薬局１０４で、かつ、現時刻が薬剤師の在席予定時間内となっている薬局１０４を特定し、特定された薬局１０４に関するデータを紹介薬局データ３Ｄ２として送信元のＡＴＭ７に送信する。これにより、管理機関用サーバ３は、現時刻で薬剤師が在席している調剤薬局を顧客に紹介する。なお、第一類の薬は、薬剤師の説明を受けなければ購入することができない薬である。第一類の薬は、調剤薬局が例えばコンビニエンスストア等の流通機関と提携することにより、コンビニエンスストア等の流通機関でも取り扱われる可能性がある。
【００３８】
なお、管理機関用サーバ３は、好ましくは、薬局データ記憶部３２ｄ（図３参照）に記憶されている薬局データ４Ｄ１の取扱薬剤データを参照して、処方する薬を取り扱う調剤薬局が限られている場合に、処方する薬を取り扱う調剤薬局（特に、好ましくは、最寄りの調剤薬局）を特定するとよい。
【００３９】
（５）管理機関用サーバ３は、各顧客の処方データ３Ｄ１及び診察記録データ２Ｄ１の一方又は双方を、医療機関用ＰＣ２、薬局用ＰＣ４、及び、ＡＴＭ７の中の任意の装置に送信することができる。したがって、医療機関用ＰＣ２、薬局用ＰＣ４、及び、ＡＴＭ７のそれぞれは、顧客が過去に服用した薬の履歴や医療機関１０２から新たに発行された薬の処方等のデータを管理機関用サーバ３から取得することができる。これにより、医療機関１０２の医師や、薬局１０４の薬剤師、患者等は、患者が過去に服用した薬の履歴データや医療機関１０２から新たに発行された薬の処方データ３Ｄ１を各端末の表示部に表示させたり、記録紙に印刷させたりすることができる。これらのデータは、例えば、患者がある症状の治療中に他の症状の治療を受ける場合に、新たに処方する薬の使用の是非の確認に利用される。
【００４０】
（薬局用端末の主な機能）
（１）薬局用ＰＣ４は、定期的に、薬局データ４Ｄ１を管理機関用サーバ３に送信して、薬局データ４Ｄ１を管理機関用サーバ３に登録させる。
【００４１】
（２）薬局用ＰＣ４は、ＡＴＭ７で薬代の支払い取引の決済が終了すると、ＡＴＭ７から顧客の処方データ７Ｄ３を取得する。これにより、後記する選択薬局は、特定の顧客が来店する前に、特定の顧客の処方データ７Ｄ３によって指定された薬の収納場所や、混同し易い薬の確認を事前に行うことができる。そのため、後記する選択薬局は、特定の顧客が来店すると、薬の仕分け作業や調合作業を速やかに行うことができる。又は、後記する選択薬局は、特定の顧客が来店する前に、薬の仕分け作業や調合作業を済ませておくこともできる。
【００４２】
（３）薬局用ＰＣ４は、薬局１０４が保険機関１０５と提携することにより、診察カード８に記憶された診察カードデータ２Ｄ２に基づいて、保険機関１０５の保険機関用サーバ５に、顧客の保険証が有効か否かを確認させることができる。
【００４３】
（保険機関用サーバ）
保険機関用サーバ５は、患者の保険証が有効か否かを確認する必要である場合に、医療機関用ＰＣ２や、薬局用ＰＣ４、ＡＴＭ７等の端末から、顧客の識別データ（具体的には、診察カード８に記憶されている図１に示す医療機関識別番号データと患者識別番号データとの組み合わせ）を含む、保険確認要求（図１に示す例では、薬局用ＰＣ４から送信された保険確認要求４Ｄ２）を受信することにより、顧客の識別データに基づいて、患者の保険証が有効か否かを確認する。
【００４４】
（自動取引装置の主な機能）
（１）ＡＴＭ７は、患者である顧客が薬の処方箋の発行を指示する場合や過去に服用した薬の履歴の閲覧・印刷を指示する場合に、医療機関１０２が顧客に発行した診察カード８から診察カードデータ２Ｄ２を取得し、管理機関用サーバ３にアクセスし、診察カードデータ２Ｄ２に含まれているデータに基づいて、管理機関用サーバ３から顧客の処方データ３Ｄ１及び診察記録データ２Ｄ１の一方又は双方（図１に示す例では、顧客の処方データ３Ｄ１のみ）と紹介薬局データ３Ｄ２とを受信する。
【００４５】
ここでは、顧客が、薬の処方箋の発行をＡＴＭ１に指示するものとして説明する。また、診察カードデータ２Ｄ２には、「医療機関識別番号データ」、「患者識別番号データ」、「患者口座番号データ」、「保険証番号データ」、及び、「請求料金データ」等が含まれているものとする。また、診察カードデータ２Ｄ２には、患者の口座番号、患者に請求する診察代や薬代等の医療費（以下、「請求料金」と称する）を表す請求料金データ等が含まれているものとする。
【００４６】
なお、「医療機関識別番号データ」は、患者が診察した医療機関１０２を特定するために、各医療機関１０２に設定された識別番号を表すデータである。
また、「患者識別番号データ」は、患者を診察した医療機関１０２が各患者に設定した識別番号を表すデータである。
「医療機関識別番号データ」及び「患者識別番号データ」は、処方箋発行システムを構成する各装置が個々の顧客を特定（識別）するための識別データとして、用いられる。
「患者口座番号データ」は、金融機関１０６のホストコンピュータによって管理されている顧客の口座番号を表すデータである。「患者口座番号データ」は、顧客が、医療費（診察代や薬代等の料金）を自動取引装置７による口座決済機能で支払う場合に用いられる。
「保険証番号データ」は、健康保険証の番号を表すデータである。「保険証番号データ」は、顧客の健康保険証が有効であるか否かを保険機関１０５の保険機関用サーバに問い合わせる場合に用いられる。
「請求料金データ」は、医療費（診察代や薬代等の料金）を表すデータである。
【００４７】
（２）ＡＴＭ７は、管理機関用サーバ３から受信した紹介薬局データ３Ｄ２の中に、単一の薬局Ａ（図１参照）に関するデータしか含まれていない場合に、その薬局Ａを指定する画面を表示部７４（図７参照）に表示し、一方、紹介薬局データ３Ｄ２の中に、複数の薬局Ａ〜Ｎ（図１参照）に関するデータが含まれている場合に、特定の顧客に複数の薬局の中から特定の薬局を選択させるための薬局選択画面７４ｅ（図１６（ｂ）参照）を表示部７４に表示する。なお、ＡＴＭ７は、薬局選択画面７４ｅで薬局１０４を選択するに際して、薬局１０４の周囲の地図を表す画面（例えば、図１６（ｃ）に示す画面７４ｆ）を表示部７４に表示することができる。
【００４８】
（３）ＡＴＭ７は、顧客（患者）が薬の処方箋１０の発行を指示する場合に、薬代（ただし、薬代と診察代との合計の場合もある）の支払い取引を実行し、支払い取引の決済が終了した場合に、処方箋１０を発行するとともに、処方データ７Ｄ３を後記する選択薬局の薬局用ＰＣ４に送信する。薬局１０４で勤務する薬剤師は、処方データ７Ｄ３に基づいて薬を顧客に処方する。
【００４９】
なお、支払い取引は、後記する現金決済又は後記する口座決済によって、行われる。ＡＴＭ７は、支払い取引が口座決済によって行われる場合に、ホストコンピュータ６によって管理されている顧客（患者）の口座から薬代（ただし、薬代と診察代との合計の場合もある）に相当する請求料金を引き落とさせる（すなわち、請求料金分の金銭データを顧客（患者）の口座から薬局や医療機関への支払い用の口座に移動させる）。
【００５０】
＜各装置の構成＞
（医療機関用端末の構成）
以下、図２を参照して、本実施形態に係る医療機関用ＰＣ２の構成につき説明する。図２は、実施形態に係る医療機関用端末の構成を示す図である。
医療機関用ＰＣ２は、制御部２１、記憶部２２、入力部２３、表示部２４、カード発行部２５、及び、通信部２９を備えている。
【００５１】
制御部２１は、医療機関用ＰＣ２の各部の動作を制御する制御手段である。制御部２１は、ＣＰＵによって構成されており、記憶部２２（具体的には、制御プログラム記憶部２２ａ）に格納された制御プログラムを実行することにより、会計処理部２１ａ、診察記録データ作成・管理部２１ｂ、及び、診察カードデータ作成部２１ｃとして機能している。
【００５２】
会計処理部２１ａは、診察代や薬代等の、医療機関１０２で診察を受けた患者が支払うべき各種の請求料金を算出する機能手段である。
診察記録データ作成・管理部２１ｂは、医療機関１０２で診察を受けた患者の診察記録データ２Ｄ１（図１参照）を作成し管理する機能手段である。
診察カードデータ作成部２１ｃは、医療機関１０２で診察を受けた患者に発行される診察カード８に書き込む診察カードデータ２Ｄ２を作成し管理する機能手段である。
【００５３】
記憶部２２は、各種のデータを記憶する記憶手段である。記憶部２２は、ＲＡＭや、ＲＯＭ、ＨＤＤ等によって構成されており、制御プログラム記憶部２２ａ、医療機関データ記憶部２２ｂ、及び、診察記録データ記憶部２２ｃに分割されている。
【００５４】
制御プログラム記憶部２２ａは、医療機関用ＰＣ２の各機能手段の動作を規定するアプリケーションプログラムとしての制御プログラムを記憶する記憶手段である。ここでは、制御プログラムは、例えば、磁気ディスクや、光ディスク、メモリ装置等の記憶媒体に予め記憶されており、その記憶媒体から医療機関用ＰＣ２に事前にインストールされているものとして説明する。
医療機関データ記憶部２２ｂは、医療機関１０２に関する各種のデータ（以下、「医療機関データ」と称する）を記憶する記憶手段である。医療機関データ記憶部２２ｂには、例えば、個々の医療機関１０２を特定できるように、各医療機関１０２に対して設定された識別番号を表すデータ（以下、「医療機関識別番号データ」と称する）が記憶されている。
診察記録データ記憶部２２ｃは、医療機関１０２で診察を受けた患者の診察記録を表すデータ（以下、「診察記録データ」と称する）２Ｄ１を記憶する記憶手段である。
【００５５】
入力部２３は、キーボードやマウス等の各種のデータを入力する入力手段である。
表示部２４は、ディスプレイ等により構成され、各種の画像を表示する表示手段である。
カード発行部２５は、診察カードデータ作成部２１ｃによって作成された診察カードデータ２Ｄ２を診察カード８に書き込み、その診察カード８を患者に発行する構成要素である。ここでは、診察カード８は、ＩＣカード又は磁気カードであるものとして説明する。なお、診察カード８は、例えば、顧客が携帯する携帯電話に置き換えることが可能である。
通信部２９は、ネットワーク９を介して外部装置との間で通信を実行する構成要素である。
【００５６】
（管理機関用サーバの構成）
以下、図３を参照して、本実施形態に係る管理機関用サーバ３の構成につき説明する。図３は、実施形態に係る管理機関用サーバの構成を示す図である。
管理機関用サーバ３は、制御部３１、記憶部３２、及び、通信部３９を備えている。
【００５７】
制御部３１は、管理機関用サーバ３の各部の動作を制御する制御手段である。制御部３１は、ＣＰＵによって構成されており、記憶部３２（具体的には、制御プログラム記憶部３２ａ）に格納された制御プログラムを実行することにより、患者データ管理部３１ａ、及び、紹介薬局データ作成部３１ｂとして機能している。
【００５８】
患者データ管理部３１ａは、各医療機関１０２の医療機関用ＰＣ２から送信された、医療機関１０２で診察された各患者の診察記録データ２Ｄ１を管理する機能手段である。
【００５９】
紹介薬局データ作成部３１ｂは、所定の条件に適合している薬局１０４（例えば、送信元のＡＴＭ７から所定の範囲内に位置する薬局１０４）を、ＡＴＭ７を操作している特定の顧客に紹介するための紹介薬局データ３Ｄ２を作成する機能手段である。
【００６０】
紹介薬局データ作成部３１ｂは、例えば、顧客の処方データ２Ｄ１に含まれている薬が薬剤師の説明を受けなければ購入することができない第一類の薬であるか否かを判定し、薬が第一類の薬である場合に、送信元のＡＴＭ７から所定の範囲内に位置する調剤薬局を特定する。そして、紹介薬局データ作成部３１ｂは、特定した薬局に関するデータを紹介薬局データ３Ｄ２とし、送信元のＡＴＭ７に送信する。なお、このとき、紹介薬局データ作成部３１ｂは、好ましくは、薬剤師の在席予定を管理しておき、現時刻が薬剤師の在席予定時間内となっている薬局を特定するとよい。
【００６１】
ＡＴＭ７は、管理機関用サーバ３から紹介薬局データ３Ｄ２を受信することにより、紹介薬局データ３Ｄ２に基づいて、ＡＴＭ７の周囲の薬局１０４を紹介する画面（図１６（ｂ）参照）を表示部７４（図７参照）に表示する。これにより、ＡＴＭ７は、特定の顧客を、ＡＴＭ７の周囲の薬局１０４に誘導する。なお、このとき、ＡＴＭ７は、紹介薬局データ３Ｄ２の中に、単一の薬局Ａ（図１参照）に関するデータしか含まれていない場合に、その薬局Ａを指定する画面を表示部７４に表示させ、一方、紹介薬局データ３Ｄ２の中に、複数の薬局Ａ〜Ｎ（図１参照）に関するデータが含まれている場合に、特定の顧客に複数の薬局の中から特定の薬局を選択させるための薬局選択画面（図１６（ｂ）参照）を表示部７４に表示させる。特定の顧客の顧客は、表示部７４に表示された画面に基づいて、薬局１０４を指定又は選択する。以下、特定の顧客によって選択された薬局１０４を、「選択薬局」と称する。
【００６２】
記憶部３２は、各種のデータを記憶する記憶手段である。記憶部３２は、ＲＡＭや、ＲＯＭ、ＨＤＤ等によって構成されており、制御プログラム記憶部３２ａ、医療機関データ記憶部３２ｂ、診察記録データ記憶部３２ｃ、薬局データ記憶部３２ｄ、及び、薬剤データ記憶部３２ｅに分割されている。
【００６３】
制御プログラム記憶部３２ａは、管理機関用サーバ３の各機能手段の動作を規定するアプリケーションプログラムとしての制御プログラムを記憶する記憶手段である。ここでは、制御プログラムは、例えば、磁気ディスクや、光ディスク、メモリ装置等の記憶媒体に予め記憶されており、その記憶媒体から管理機関用サーバ３に事前にインストールされているものとして説明する。
【００６４】
医療機関データ記憶部３２ｂは、各医療機関１０２の医療機関データを記憶する記憶手段である。ここでは、「医療機関データ」は、例えば、医療機関識別番号データ等のデータを含んでいるもととする。
診察記録データ記憶部３２ｃは、各医療機関１０２の医療機関用ＰＣ２から送信された、医療機関１０２で診察された各患者の診察記録データ２Ｄ１（図８（ａ）参照）を記憶する記憶手段である。
【００６５】
薬局データ記憶部３２ｄは、各薬局１０４の薬局用ＰＣ４から送信された各薬局１０４の薬局データ４Ｄ１（図１０（ａ）参照）を記憶する記憶手段である。
薬剤データ記憶部３２ｅは、薬剤に関するデータ（以下、「薬剤データ」と称する）を記憶する記憶手段である。「薬剤データ」は、薬が薬剤師によって調剤されるべき第一類の薬か否かを判別したり、混同しやすい名称の薬剤を特定したり、同じ成分で異なる名称の薬剤を特定したりするために用いられる。「薬剤データ」は、例えば、薬剤名を表す薬剤名データや、薬剤の類を判別するための類判別用データ、取扱薬局を表す取扱薬局データ等を含んでいる。
通信部３９は、ネットワーク９を介して外部装置との間で通信を実行する構成要素である。
【００６６】
（薬局用端末の構成）
以下、図４を参照して、本実施形態に係る薬局用ＰＣ４の構成につき説明する。図４は、実施形態に係る薬局用端末の構成を示す図である。
薬局用ＰＣ４は、制御部４１、記憶部４２、入力部４３、表示部４４、カードリーダ４５、及び、通信部４９を備えている。
【００６７】
制御部４１は、薬局用ＰＣ４の各部の動作を制御する制御手段である。制御部４１は、ＣＰＵによって構成されており、記憶部４２（具体的には、制御プログラム記憶部４２ａ）に格納された制御プログラムを実行することにより、薬局データ作成・管理部４１ａとして機能している。
薬局データ作成・管理部４１ａは、薬局データ４Ｄ１（図１参照）を作成し管理する機能手段である。
【００６８】
記憶部４２は、各種のデータを記憶する記憶手段である。記憶部４２は、ＲＡＭや、ＲＯＭ、ＨＤＤ等によって構成されており、制御プログラム記憶部４２ａ、及び、薬局データ記憶部４２ｂに分割されている。
【００６９】
制御プログラム記憶部４２ａは、薬局用ＰＣ４の各機能手段の動作を規定するアプリケーションプログラムとしての制御プログラムを記憶する記憶手段である。ここでは、制御プログラムは、例えば、磁気ディスクや、光ディスク、メモリ装置等の記憶媒体に予め記憶されており、その記憶媒体から薬局用ＰＣ４に事前にインストールされているものとして説明する。
薬局データ記憶部４２ｂは、薬局１０４に関する各種のデータ（薬局データ）を記憶する記憶手段である。薬局データ記憶部４２ｂには、薬局データとして、例えば、薬剤師の在席予定時間データや、薬局１０４の住所データ、地図データ等が記憶されている。
【００７０】
入力部４３は、キーボードやマウス等により構成され、各種のデータを入力する入力手段である。
表示部４４は、ディスプレイ等により構成され、各種の画像を表示する表示手段である。
カードリーダ４５は、診察カード８から診察カードデータ２Ｄ２を読み取るための構成要素である。
通信部４９は、ネットワーク９を介して外部装置との間で通信を実行する構成要素である。
【００７１】
（保険機関用サーバの構成）
以下、図５を参照して、本実施形態に係る保険機関用サーバ５の構成につき説明する。図５は、実施形態に係る保険機関用サーバの構成を示す図である。
保険機関用サーバ５は、制御部５１、記憶部５２、入力部５３、表示部５４、及び、通信部５９を備えている。
【００７２】
制御部５１は、保険機関用サーバ５の各部の動作を制御する制御手段である。制御部５１は、ＣＰＵによって構成されており、記憶部５２（具体的には、制御プログラム記憶部５２ａ）に格納された制御プログラムを実行することにより、保険データ管理部５１ａとして機能している。
【００７３】
保険データ管理部５１ａは、顧客の保険データを管理する機能手段である。保険データ管理部５１ａは、処方箋発行システム１を構成する各装置から、患者（顧客）の保険確認要求（図１に示す例では、保険確認要求４Ｄ２）を受信すると、これに応答して、記憶部５２の保険データ記憶部５２ｂに予め記憶されている患者（顧客）の保険データを参照して、患者（顧客）の健康保険が有効か否かを判定する。そして、保険データ管理部５１ａは、患者（顧客）の健康保険が有効である場合に、保険確認結果５Ｄ１として、「ＯＫ」信号を、保険確認要求の送信元の装置に送信する。一方、保険データ管理部５１ａは、患者（顧客）の健康保険が有効でない場合に、保険確認結果５Ｄ１として、「ＮＧ」信号を、保険確認要求の送信元の装置に送信する。
【００７４】
記憶部５２は、各種のデータを記憶する記憶手段である。記憶部５２は、ＲＡＭや、ＲＯＭ、ＨＤＤ等によって構成されており、制御プログラム記憶部５２ａ、及び、保険データ記憶部５２ｂに分割されている。
【００７５】
制御プログラム記憶部５２ａは、保険機関用サーバ５の各機能手段の動作を規定するアプリケーションプログラムとしての制御プログラムを記憶する記憶手段である。ここでは、制御プログラムは、例えば、磁気ディスクや、光ディスク、メモリ装置等の記憶媒体に予め記憶されており、その記憶媒体から保険機関用サーバ５に事前にインストールされているものとして説明する。
保険データ記憶部５２ｂは、各被保険者の保険データを記憶する記憶手段である。「保険データ」は、例えば、被保険者記号番号データ、氏名データ、資格取得年月日データ等を含んでいる。
【００７６】
入力部５３は、キーボードやマウス等の各種のデータを入力する入力手段である。
表示部５４は、ディスプレイ等により構成され、各種の画像を表示する表示手段である。
通信部５９は、ネットワーク９を介して外部装置との間で通信を実行する構成要素である。
【００７７】
（金融機関のホストコンピュータの構成）
以下、図６を参照して、本実施形態に係る金融機関のホストコンピュータ６の構成につき説明する。図６は、実施形態に係る金融機関のホストコンピュータの構成を示す図である。
ホストコンピュータ６は、制御部６１、記憶部６２、及び、通信部６９を備えている。なお、ホストコンピュータ６の構成は、公知である。
【００７８】
制御部６１は、ホストコンピュータ６の各部の動作を制御する制御手段である。制御部６１は、ＣＰＵによって構成されており、記憶部６２（具体的には、制御プログラム記憶部６２ａ）に格納された制御プログラムを実行することにより、口座管理部６１ａとして機能している。
口座管理部６１ａは、顧客の預金口座に関するデータ（以下、「口座データ」と称する）を管理する機能手段である。
【００７９】
記憶部６２は、各種のデータを記憶する記憶手段である。記憶部６２は、ＲＡＭや、ＲＯＭ、ＨＤＤ等によって構成されており、制御プログラム記憶部６２ａ、及び、口座データ記憶部６２ｂに分割されている。
制御プログラム記憶部６２ａは、ホストコンピュータ６の各機能手段の動作を規定するアプリケーションプログラムとしての制御プログラムを記憶する記憶手段である。ここでは、制御プログラムは、例えば、磁気ディスクや、光ディスク、メモリ装置等の記憶媒体に予め記憶されており、その記憶媒体からホストコンピュータ６に事前にインストールされているものとして説明する。
口座データ記憶部６２ｂは、各顧客の口座データを記憶する記憶手段である。
通信部６９は、ネットワーク９を介して外部装置との間で通信を実行する構成要素である。
【００８０】
（自動取引装置の構成）
以下、図７を参照して、本実施形態に係るＡＴＭ７の構成につき説明する。図７は、実施形態に係る自動取引装置の構成を示す図である。
ＡＴＭ７は、制御部７１、記憶部７２、入力部７３、表示部７４、カードリーダ７５、現金処理部７６、印字部７７、及び、通信部７９を備えている。
【００８１】
制御部７１は、ＡＴＭ７の各部の動作を制御する制御手段である。制御部７１は、ＣＰＵによって構成されており、記憶部７２（具体的には、制御プログラム記憶部７２ａ）に格納された制御プログラムを実行することにより、通常取引制御部７１ａ、決済処理制御部７１ｂ、及び、処方箋発行制御部７１ｃとして機能している。
【００８２】
通常取引制御部７１ａは、残高照会や、入金取引、出金取引、振込取引等のＡＴＭ７として通常行われる取引処理を実行する機能手段である。
決済処理制御部７１ｂは、例えば医療費（診察代や薬代等の料金）の支払い取引を実行する機能手段である。
処方箋発行制御部７１ｃは、特定の顧客への薬の処方箋１０の発行処理を実行する機能手段である。
【００８３】
記憶部７２は、各種のデータを記憶する記憶手段である。記憶部７２は、ＲＡＭや、ＲＯＭ、ＨＤＤ等によって構成されており、制御プログラム記憶部７２ａ、決済用データ一時記憶部７２ｂ、及び、処方箋発行用データ一時記憶部７２ｃに分割されている。
【００８４】
制御プログラム記憶部７２ａは、ＡＴＭ７の各機能手段の動作を規定するアプリケーションプログラムとしての制御プログラムを記憶する記憶手段である。
決済用データ一時記憶部７２ｂは、「決済処理機能」を実行する際に必要となる、特定の顧客のデータ（以下、「決済用データ」と称する）を一時的に記憶する記憶手段である。「決済用データ」は、例えば、特定の顧客の口座番号データ（具体的には、診察カード８から読み取られる診察カードデータ２Ｄ２の中に含まれている患者口座番号データ）や、特定の顧客が入力部７３から入力する暗証番号データ、支払う料金データ（例えば、診察カード８から読み取られる診察カードデータ２Ｄ２の中に含まれている請求料金データ、又は、管理機関用サーバ３が処方データ３Ｄ１を作成する際に薬代を算出した場合には、その薬代に相当する請求料金データ）等を含んでいる。
処方箋発行用データ一時記憶部７２ｃは、特定の顧客への薬の処方箋１０の発行を実行する際に必要となる、特定の顧客のデータ（以下、「処方箋発行用データ」と称する）を一時的に記憶する記憶手段である。「処方箋発行用データ」は、例えば、特定の顧客の識別データ（具体的には、診察カード８から読み取られる診察カードデータ２Ｄ２の中に含まれている医療機関識別番号データ及び患者識別番号データ）や、診察カードデータ２Ｄ２の中に含まれている保険証番号データ、管理機関用サーバ３から送信される処方データ３Ｄ１及び紹介薬局データ３Ｄ２等を含んでいる。
【００８５】
入力部７３は、表示部７４の表面に設置されたタッチパネルやテンキー等の各種のデータを入力する入力手段である。
表示部７４は、ディスプレイ等により構成され、各種の画像を表示する表示手段である。
カードリーダ７５は、キャッシュカードから特定の顧客の口座番号データを読み取ったり、診察カード８から特定の顧客の診察カードデータ２Ｄ２を読み取ったりする読取手段である。
現金処理部７６は、現金（すなわち、紙幣及び貨幣の一方又は双方）を鑑別して、入金処理や出金処理を実行する機構である。
印字部７７は、取引処理結果のレシートや薬の処方箋１０等を印刷して顧客に発行する構成要素である。
通信部７９は、ネットワーク９を介して外部装置との間で通信を実行する構成要素である。
なお、入力部７３、表示部７４、カードリーダ７５、現金処理部７６、印字部７７、及び、通信部７９の構成は、公知である。
【００８６】
＜データの構成＞
以下、図８〜図１１を参照して、本実施形態で用いるデータの構成につき説明する。なお、図８〜図１１は、それぞれ、実施形態で用いるデータの構成を示す図である。
【００８７】
（医療機関用端末によって作成されるデータ）
図８（ａ）は、医療機関用ＰＣ２によって作成され、医療機関用ＰＣ２から管理機関用サーバ３に送信される診察記録データ２Ｄ１の構成を示している。図８（ａ）に示すように、診察記録データ２Ｄ１は、例えば、医療機関識別番号や、医療機関名、電話番号、患者識別番号、保険証番号、患者口座番号、診察日（処方日）、請求料金、診察結果、処方内容、過去の診察結果履歴、及び、過去の処方履歴等のデータを含んでいる。
【００８８】
図８（ｂ）は、医療機関用ＰＣ２によって作成され、診察カード８に書き込まれる診察カードデータ２Ｄ２の構成を示している。図８（ｂ）に示すように、診察カードデータ２Ｄ２は、例えば、医療機関識別番号や、医療機関名、電話番号、患者識別番号、保険証番号、患者口座番号、診察日（処方日）、請求料金、過去の診察日（処方日）等のデータを含んでいる。
【００８９】
（管理機関用サーバによって作成されるデータの構成）
図９は、管理機関用サーバ３によって作成され、管理機関用サーバ３からＡＴＭ７に送信される処方データ３Ｄ１の構成を示している。図９に示すように、処方データ３Ｄ１は、図８（ａ）に示す診察記録データ２Ｄ１に含まれている主要なデータと、図１０（ａ）に示す薬局データ４Ｄ１に含まれている主要なデータとを組み合わせた形式となっている。
【００９０】
なお、管理機関用サーバ３は、紹介薬局データ３Ｄ２を作成してＡＴＭ７に送信する。この紹介薬局データ３Ｄ２の構成は、薬局用ＰＣ４によって作成され、薬局用ＰＣ４から管理機関用サーバ３に送信される薬局データ４Ｄ１（図１０（ａ）参照）の構成と同様である。
【００９１】
（薬局用端末によって作成されるデータの構成）
図１０（ａ）は、薬局用ＰＣ４によって作成され、薬局用ＰＣ４から管理機関用サーバ３に送信される薬局データ４Ｄ１の構成を示している。図１０（ａ）に示すように、薬局データ４Ｄ１は、例えば、薬局識別番号や、薬局名、電話番号、ファクシミリ番号、電子メールアドレス、ホームページＵＲＬ、営業時間、在席予定、住所等のテキストデータ、及び、地図等の画像データを含んでいる。なお、「在席予定」データは、薬局１０４に勤務する薬剤師の在席予定時間を表している。
【００９２】
図１０（ｂ）は、薬局用ＰＣ４によって作成され、薬局用ＰＣ４から保険機関用サーバ５に送信される保険確認要求４Ｄ２の構成を示している。図１０（ｂ）に示すように、保険確認要求４Ｄ２は、保険証番号データを含んでいる。薬局用ＰＣ４は、顧客への薬の受け渡しに際して、顧客の健康保険が有効であるか否かを確認する必要がある場合に、顧客が所持している診察カード８から読み取られる診察カードデータ２Ｄ２に基づいて、保険確認要求４Ｄ２を作成する。
【００９３】
（自動取引装置によって作成されるデータの構成）
図１１（ａ）は、ＡＴＭ７によって作成され、ＡＴＭ７から管理機関用サーバ３に送信される処方データ送信要求７Ｄ１の構成を示している。図１１（ａ）に示すように、処方データ送信要求７Ｄ１は、例えば、医療機関識別番号や、患者識別番号、及び、保険証番号等のデータを含んでいる。これらのデータは、診察カード８に書き込まれている診察カードデータ２Ｄ２に含まれているデータが用いられる。
【００９４】
図１１（ｂ）は、ＡＴＭ７によって作成され、ＡＴＭ７からホストコンピュータ６に送信される決済要求７Ｄ２の構成を示している。図１１（ｂ）に示すように、決済要求７Ｄ２は、患者口座番号、請求料金、及び、暗証番号等のデータを含んでいる。患者口座番号や請求料金等のデータは、診察カード８に書き込まれている診察カードデータ２Ｄ２に含まれているデータが用いられる。また、暗証番号データは、顧客が入力部７３（図７参照）から入力する暗証番号が用いられる。
【００９５】
図１１（ｃ）は、ＡＴＭ７によって作成され、ＡＴＭ７から薬局用ＰＣ４に送信される処方データ７Ｄ３の構成を示している。図１１（ｃ）に示すように、処方データ７Ｄ３は、医療機関識別番号、医療機関名、電話番号、患者識別番号、保険証番号、患者口座番号、診察日（処方日）、及び、処方内容等のデータを含んでいる。これらのデータは、管理機関用サーバ３からＡＴＭ７に送信された処方データ３Ｄ１に含まれているデータが用いられる。
【００９６】
＜自動取引装置で発行される処方箋の構成＞
以下、図１２を参照して、処方箋１０の構成につき説明する。なお、図１２は、実施形態に係る自動取引装置で発行される処方箋の構成を示す図である。図１２に示すように、処方箋１０は、薬局名、電話番号、ファクシミリ番号、電子メールアドレス、ホームページＵＲＬ、営業時間、在席予定、住所、地図等の欄、及び、処方された薬の表示欄（図１２に示す「処方箋」欄）を組み合わせた構成となっている。ＡＴＭ７は、管理機関用サーバ３からＡＴＭ７に送信された処方データ３Ｄ１に含まれているデータを、これらの欄に反映させて、印字部７７を用いて処方箋１０を印刷する。
【００９７】
＜処方箋発行システムの動作＞
以下、図１３Ａ、図１３Ｂ、及び、図１４〜図１６を参照して、処方箋発行システム１の動作につき説明する。なお、図１３Ａ及び図１３Ｂは、それぞれ、実施形態に係る処方箋発行システムの動作を示すフローチャートである。図１３Ａ及び図１３Ｂにおいて、符合の最後に「Ｐ」と標記された各ステップは、患者、医師、又は、薬剤師の動作を示している。また、図１４は、実施形態に係る処方箋発行システムの動作の説明図である。図１４は、図１３Ａ及び図１３Ｂに示す各処理と各装置との対応関係を示している。なお、図１４に示す細実線の矢印は、データの流れを示しており、白抜きの矢印は、患者が移動したことを示している。また、細点線の矢印は、患者である特定の顧客が薬を受け渡す薬局１０４として薬局Ｂを選択した場合の処理を示している。また、図１５及び図１６は、実施形態に係る自動取引装置の画面表示例を示す図である。
【００９８】
なお、各装置は、図示せぬタイマによって計測された時間に基づいて動作する。また、各装置の動作は、各装置の記憶部に読み出し自在に予め格納されたプログラムによって規定されており、各装置の制御部によって実現する。また、装置間の通信は、受信側の装置が通信によって受信されたデータを記憶部に一旦格納し、その後に、データを記憶部から読み出すことによって、行われる。また、各データは、記憶部に読み出し自在に一旦格納されてから、その後の処理を行う所要の構成要素に出力される。以下、これらの点については、情報処理では常套手段であるので、その詳細な説明を省略する。
【００９９】
図１３Ａ、図１３Ｂ、及び、図１４に示すように、各薬局１０４の薬局用ＰＣ４は、薬局データ作成・管理部４１ａが、定期的に、薬局１０４で勤務している薬剤師の在席予定を管理し（Ｓ１０５）、薬局データ４Ｄ１（図１０（ａ））を作成して管理機関用サーバ３に送信し、薬局データ４Ｄ１を管理機関用サーバ３に登録させる（Ｓ１１０）。
【０１００】
患者は、何らかの症状の治療をするために、医療機関（病院）１０２を選択し（Ｓ１１１Ｐ）、選択した医療機関１０２に出向く。その結果、医療機関１０２では、医師が患者を診察する（Ｓ１１２Ｐ）。
【０１０１】
医療機関１０２の医療機関用ＰＣ２は、患者の診察が終了すると、まず、会計処理部２１ａ（図２参照）が、医療費（診察代や薬代等の料金）を算出する。次に、診察記録データ作成・管理部２１ｂ（図２参照）が、患者の診察記録データ２Ｄ１（図８（ａ）参照）を作成して管理機関用サーバ３に送信し、患者の診察記録データ２Ｄ１を管理機関用サーバ３に登録させる（Ｓ１１５）。また、診察カードデータ作成部２１ｃ（図２参照）が、診察カードデータ２Ｄ２（図８（ｂ）参照）を作成して、診察カードデータ２Ｄ２を診察カード８に書き込む（Ｓ１２０）。この診察カード８は、患者に発行される。
【０１０２】
患者は、医療機関１０２から診察カード８を受け取ると、診察カード８を持って最寄りのＡＴＭ７が設置されている場所（例えば、金融機関１０６の支店やコンビニエンスストア等）に出向き、操作するＡＴＭ７を選択する（Ｓ１２１Ｐ）。ＡＴＭ７は、例えば、図１５（ａ）に示す初期画面７４ａを表示部７４（図７参照）に表示している。患者は、特定の顧客として、ＡＴＭ７を操作して、例えば表示部７４に表示された図１５（ａ）に示す「薬の処方」キーを選択して、処方箋１０の発行要求をＡＴＭ７に指示する（Ｓ１２２Ｐ）。
【０１０３】
これに応答して、ＡＴＭ７は、処方箋発行制御部７１ｃ（図７参照）が、請求料金を現金で支払うのか、又は、請求料金に相当する金銭データを特定の顧客の口座から薬代の支払い取引用の口座に移させることによって支払うのかを選択する画面（図示せず）を表示部７４（図７参照）に表示させて、特定の顧客（すなわち、ＡＴＭ７を操作している患者）に選択させる。以下、請求料金を現金で支払う取引を、「現金決済」と称し、請求料金に相当する金銭データを特定の顧客の口座から薬代の支払い取引用の口座に移させることによって支払う取引を口座決済と称する。ここでは、特定の顧客が、口座決済を選択したものとして説明する。
【０１０４】
この後、処方箋発行制御部７１ｃは、カードリーダ７５への診察カード８の挿入を促す画面（図示せず）を表示部７４（図７参照）に表示させて、特定の顧客（すなわち、ＡＴＭ７を操作している患者）に、診察カード８をカードリーダ７５に挿入させる。
【０１０５】
処方箋発行制御部７１ｃは、特定の顧客が診察カード８をカードリーダ７５に挿入すると、診察カード８から診察カードデータ２Ｄ２（図８（ｂ）参照）を読み取り（Ｓ１２５）、読み取った診察カードデータ２Ｄ２の中の予め定められたデータを決済用データとして決済用データ一時記憶部７２ｂに一時記憶させるとともに、診察カードデータ２Ｄ２の中の予め定められたデータを発行用データとして処方箋発行用データ一時記憶部７２ｃに一時的に記憶させる。
【０１０６】
この後、処方箋発行制御部７１ｃは、読み取った診察カードデータ２Ｄ２（特に、発行用データ）に基づいて、処方データ送信要求７Ｄ１（図１１（ａ）参照）を作成して、管理機関用サーバ３に送信する（Ｓ１３０）。
【０１０７】
このとき、処方箋発行制御部７１ｃは、読み取った診察カードデータ２Ｄ２の中に、過去の診察日（処方日）のデータが記憶されていれば、最新の診察日（処方日）のデータ及び過去の診察日（処方日）のデータの中から、特定の顧客に、処方を希望する薬を選択させる画面（例えば、図１５（ｂ）に示す画面７４ｂ）を表示部７４（図７参照）に表示させる。
【０１０８】
なお、図１５（ｂ）に示す例では、画面７４ｂは、「１．最新の診察案件の薬」キー及び「２．以前に診察した案件の薬」キーが選択可能に表示されている。ここで、「２．以前に診察した案件の薬」キーは、過去に診察済で、今回の取引では薬の処方のみを希望する場合に選択されるキーである。
【０１０９】
ＡＴＭ７は、好ましくは、「２．以前に診察した案件の薬」キーは、選択回数が所定回数（例えば、２回）以下であれば、処方箋１０の発行を許可し、逆に、選択回数が所定回数を超過する場合に、顧客に診察を促す表示画面（図示せず）を表示部７４に表示する構成になっているとよい。この場合に、ＡＴＭ７は、さらに好ましくは、医療機関データ（図３参照）に基づいて、顧客の診察が可能な日時を管理機関用サーバ３に特定させ、特定された日時を案内画面として、表示部７４に表示する構成になっているとよい。
【０１１０】
ここでは、特定の顧客が、図１５（ｂ）に示す「１．最新の診察案件の薬」を選択したものとして説明する。この場合に、処方箋発行制御部７１ｃは、診察カードデータ２Ｄ２（図８（ｂ）参照）に記憶されている請求料金を用いて、処方データ送信要求７Ｄ１を作成する。
【０１１１】
なお、仮に、特定の顧客が、図１５（ｂ）に示す「２．以前に診察した案件の薬」を選択した場合に、過去の診察日（処方日）のデータの中から、特定の顧客に、処方を希望する薬を選択させる画面（例えば、図１５（ｃ）に示す画面７４ｃ及び図１６（ａ）に示す画面７４ｄ）を表示部７４（図７参照）に表示させる。この場合に、処方箋発行制御部７１ｃは、請求料金欄を空白にして、処方データ送信要求７Ｄ１を作成する。なお、管理機関用サーバ３は、処方データ送信要求７Ｄ１の請求料金欄が空白である場合に、薬剤データ記憶部３２ｅに記憶されている薬剤データに含まれている各薬剤の価格データ（図示せず）に基づいて、薬代を請求料金として算出し、さらに、算出した請求料金を含む形式で処方データ３Ｄ１（図１及び図９参照）を作成して後記するＳ１３５でＡＴＭ７に送信する。ＡＴＭ７は、処方データ３Ｄ１に含まれている請求料金に基づいて、薬の支払い処理を実行する。
【０１１２】
管理機関用サーバ３は、Ｓ１３０でＡＴＭ７から送信された処方データ送信要求７Ｄ１を受信すると、紹介薬局データ作成部３１ｂが、薬局データ記憶部３２ｄ（図３参照）に記憶された各薬局１０４の薬局データ４Ｄ１（図１及び図１０（ａ）参照）に基づいて、送信元のＡＴＭ７から所定の範囲内に位置する１又は複数の薬局１０４を特定して、特定された薬局１０４の薬局データ３Ｄ２（図１０（ａ）参照）を作成する。
【０１１３】
また、管理機関用サーバ３は、患者データ管理部３１ａ（図３参照）が、診察記録データ記憶部３２ｃ（図３参照）に記憶された各顧客の診察記録データ２Ｄ１（図１及び図８（ａ）参照）の中から、該当する特定の顧客の診察記録データ２Ｄ１（又は、診察記録データ２Ｄ１に含まれている特定の顧客用の処方データ）を抽出して、抽出された特定の顧客の診察記録データ２Ｄ１（又は、特定の顧客用の処方データ）に基づいて、特定の顧客の処方データ３Ｄ１（図９参照）を作成する。
【０１１４】
そして、患者データ管理部３１ａは、特定の顧客の処方データ３Ｄ１及び紹介薬局データ３Ｄ２をＡＴＭ７に送信する。これにより、ＡＴＭ７は、管理機関用サーバ３から特定の顧客の処方データ３Ｄ１及び紹介薬局データ３Ｄ２を取得する（Ｓ１３５）。
【０１１５】
ＡＴＭ７は、管理機関用サーバ３から特定の顧客の処方データ３Ｄ１及び紹介薬局データ３Ｄ２を取得すると、処方箋発行制御部７１ｃが、特定の顧客が口座決済を選択しているため、決済処理制御部７１ｂ（図７参照）に請求料金に対する支払い処理の実行を指示する。決済処理制御部７１ｂは、この指示に応答して、決済要求７Ｄ２（図１１（ｂ）参照）を作成してホストコンピュータ６に送信する（Ｓ１４０）。
【０１１６】
ホストコンピュータ６は、ＡＴＭ７から決済要求７Ｄ２を受信すると、口座管理部６１ａ（図６参照）が、口座データ記憶部６２ｂ（図６参照）に記憶されている特定の顧客の口座データを参照し、決済が可能か否か（すなわち、特定顧客の預金残高が請求金額以上あるか否か）を判定する。決済が可能である場合に、口座管理部６１ａは、請求料金に相当する金銭データを、特定の顧客の口座から薬代の支払い取引用の口座に移させることによって、支払い取引を実行する。これにより、支払い取引の決済が終了する。この場合に、口座管理部６１ａは、決済結果６Ｄ１（図１参照）として「ＯＫ」信号をＡＴＭ７に送信する。一方、決済が可能でない場合に、口座管理部６１ａは、決済結果６Ｄ１として「ＮＧ」信号をＡＴＭ７に送信する。このようにして、ＡＴＭ７は、ホストコンピュータ６から決済結果６Ｄ１を取得する（Ｓ１４５）。ここでは、ＡＴＭ７は、ホストコンピュータ６から決済結果６Ｄ１として「ＯＫ」信号を受信したものとして説明する。
【０１１７】
ＡＴＭ７は、ホストコンピュータ６から決済結果６Ｄ１を取得すると、処方箋発行制御部７１ｃが、紹介薬局データ３Ｄ２の中に、複数の薬局のデータが含まれているか否かを判定する。
【０１１８】
紹介薬局データ３Ｄ２の中に、複数の薬局のデータが含まれている場合に、処方箋発行制御部７１ｃは、紹介薬局データ３Ｄ２に基づいて、特定の顧客に利用を希望する薬局を選択させる画面（例えば、図１６（ｂ）に示す画面７４ｅ）を表示部７４（図７参照）に表示させる。なお、図１６（ｂ）に示す画面７４ｅには、地図を表示させるための「地図」キーが含まれている。処方箋発行制御部７１ｃは、特定の顧客が「地図」キーを選択した場合に、薬局１０４の周囲の地図を表す画面（例えば、図１６（ｃ）に示す画面７４ｆ）を表示部７４に表示させる。特定の顧客は、ＡＴＭ７を操作して、例えば表示部７４に表示された図１６（ｂ）に示す「１．○○薬局」キーを選択する（Ｓ１４６Ｐ）。これに応答して、ＡＴＭ７の処方箋発行制御部７１ｃは、Ｓ１３５で管理機関用サーバ３から取得した処方データ３Ｄ１に基づいて、処方データ７Ｄ３（図１及び図１１（ｃ）参照）を作成し、特定の顧客によって選択された薬局１０４を選択薬局として、処方データ７Ｄ３を選択薬局の薬局用ＰＣ４に送信（転送）する（Ｓ１５０）。これにより、選択薬局は、特定の顧客が来店する前に、特定の顧客の処方データ７Ｄ３を取得することができる。そのため、選択薬局は、特定の顧客が来店する前に、特定の顧客の処方データ７Ｄ３によって指定された薬の収納場所や、混同し易い薬の確認を事前に行うことができ、これにより、特定の顧客が来店すると、薬の仕分け作業や調合作業を速やかに行うことができる。
【０１１９】
一方、紹介薬局データ３Ｄ２の中に、単一の薬局のデータしか含まれていない場合に、処方箋発行制御部７１ｃは、紹介薬局データ３Ｄ２に基づいて、単一の薬局を指定する画面（図示せず）を表示部７４（図７参照）に表示させる。これにより、特定の顧客は、表示部７４に表示された単一の薬局を指定する。これに応答して、ＡＴＭ７の処方箋発行制御部７１ｃは、Ｓ１３５で管理機関用サーバ３から取得した処方データ３Ｄ１に基づいて、処方データ７Ｄ３（図１及び図１１（ｃ）参照）を作成し、単一の薬局を選択薬局として、処方データ７Ｄ３を選択薬局の薬局用ＰＣ４に送信（転送）する。
【０１２０】
Ｓ１５０の後、処方箋発行制御部７１ｃは、Ｓ１３５で管理機関用サーバ３から取得した処方データ３Ｄ１に基づいて、印字部７７（図７参照）に、処方箋１０（図１２参照）を印刷させて、処方箋１０を特定の顧客に発行させる（Ｓ１５５）。
【０１２１】
Ｓ１５５の後、特定の顧客は、Ｓ１５５で発行された処方箋１０を持って、選択薬局に来店し（Ｓ１５６Ｐ）、選択薬局で薬の処方を依頼する（Ｓ１５７Ｐ）。
選択薬局の薬剤師は、特定の顧客から薬の処方を依頼されると、特定顧客の健康保険の確認が必要であれば、特定の顧客に、特定の顧客によって所持されている診察カード８を薬局用ＰＣ４のカードリーダ４５（図４参照）に挿入させる。これにより、薬局用ＰＣ４は、カードリーダ４５が、診察カード８から診察カードデータ２Ｄ２を読み取る（Ｓ１６０）。そして、薬局用ＰＣ４は、薬局データ作成・管理部４１ａが、保険確認要求４Ｄ２を作成して保険機関用サーバ５に送信する（Ｓ１６５）。
【０１２２】
保険機関用サーバ５は、薬局用ＰＣ４から保険確認要求４Ｄ２を受信すると、保険データ管理部５１ａ（図５参照）が、保険データ記憶部５２ｂに記憶されている特定の顧客の保険データを参照して、特定の顧客の健康保険が有効か否かを判定し、その結果を表す保険確認結果５Ｄ１（図１参照）を薬局用ＰＣ４に送信する。これにより、薬局用ＰＣ４は、保険機関用サーバ５から特定の顧客の保険確認結果５Ｄ１を取得する（Ｓ１７０）。ここでは、薬局用ＰＣ４は、保険確認結果５Ｄ１として、「ＯＫ」信号を取得したものとする。
【０１２３】
Ｓ１７０の後、選択薬局の薬剤師は、特定の顧客用の薬を処方し（Ｓ１７１Ｐ）、処方した薬を特定の顧客に渡す。なお、Ｓ１７１Ｐの作業は、Ｓ１５０の処理の後に行うようにしてもよい。これにより、選択薬局は、特定の顧客が来店する前に、薬の仕分け作業や調合作業を済ませておくことができる。そのため、選択薬局は、薬を特定の顧客にさらに速やかに渡すことができる。
【０１２４】
なお、ＡＴＭ７は、薬代等の請求料金の支払い取引の決済が終了したときに、図１３Ａに示すＳ１３５で管理機関用サーバ３から取得した薬の処方データ３Ｄ１をそのままの形で、処方データ７Ｄ３として、薬局用ＰＣ４に転送してもよい。
【０１２５】
また、処方箋発行システム１は、図１４に示す薬局Ｂのように、薬局Ｂが例えばコンビニエンスストア等の店舗内に設けられており、ＡＴＭ７がその店舗内に設置されていてもよい。又は、処方箋発行システム１は、薬局Ｂが医療機関１０２内に設けられており、ＡＴＭ７がその医療機関１０２内に設置されていてもよい。これらの場合に、ＡＴＭ７は、図１３Ｂに示すＳ１５０の処理（「処方データ転送」の処理）を施設の内部で行うことができる。すなわち、ＡＴＭ７は、選択薬局として施設の内部に設けられた薬局Ｂを自動的に選択することができる。これにより、ＡＴＭ７は、処理を簡略化することができる。
【０１２６】
このように、処方箋発行システム１は、患者である顧客が、診察カード８に書き込まれた診察カードデータ２Ｄ２を、例えばコンビニエンスストアや薬局１０４等の様々な場所に設置されたＡＴＭ７に読み取らせることにより、管理機関用サーバ３から処方データ３Ｄ１や顧客が過去に服用した薬の服用履歴データ等を様々な場所に設置されているＡＴＭ７で取得することができる。
【０１２７】
また、処方箋発行システム１は、顧客が任意の選択薬局を指定して薬の受け渡しを受けることができる。
また、処方箋発行システム１は、管理機関用サーバ３が取扱調剤薬局の紹介薬局データ３Ｄ２をＡＴＭ７に送信することで、ＡＴＭ７を介して医薬分業に伴う薬の処方に関する処理を行うことができる。
【０１２８】
以上の通り、本実施形態に係る処方箋発行システム１によれば、処方箋を様々な施設に設置されているＡＴＭ７に発行させることにより、患者（顧客）が任意の薬局１０４を選択することができ、また、患者が医療機関１０２で新たに診察を受けることなく過去の診察で処方された薬を入手することができる。
【０１２９】
また、処方箋発行システム１によれば、診察カード８に記録された診察カードデータ２Ｄ２に基づいて、様々な場所（例えば、金融機関１０６の支店や、薬局１０４、薬局１０４が併設されたコンビニエンスストア等の施設）に設置されたＡＴＭ７を利用して、様々な処理を実行するとする。これにより、処方箋発行システム１によれば、医薬分業に伴い薬の処方箋１０を持ち運ぶ煩わしさや、薬の服用の履歴管理の不便さを解消することができる。
また、医師や薬剤師は、顧客（患者）が出先等での急病の際も、異なる医療機関で治療履歴、薬剤使用状況の確認をすることが可能となり、治療を迅速に行うことを可能とする。
【０１３０】
本発明は、前記した実施形態に限定されることなく、本発明の要旨を逸脱しない範囲で種々の変更や変形を行うことができる。
例えば、図１３Ａに示すＳ１４０及びＳ１４５の処理は、図１３Ｂに示すＳ１４６Ｐの後に行うようにしてもよい。
また、薬の処方箋１０を発行するために、管理機関用サーバ３からＡＴＭ７に送信される特定の顧客の処方データ３Ｄ１は、特定の顧客が医療機関１０２で診察を受けてから一定期間以内のデータに限定されるようにしてもよい。
【符号の説明】
【０１３１】
１    処方箋発行システム
２    医療機関用端末（ＰＣ）
３    管理機関用サーバ
４    薬局用端末（ＰＣ）
５    保険機関用サーバ
６    ホストコンピュータ
８    診察カード
７    自動取引装置（ＡＴＭ）
９    ネットワーク
１０    処方箋
２Ｄ１    診察記録データ
２Ｄ２    診察カードデータ
３Ｄ１    処方データ
４Ｄ１    薬局データ
４Ｄ２    保険確認要求
５Ｄ１    保険確認結果
６Ｄ１    決済結果
７Ｄ１    処方データ送信要求
７Ｄ２    決済要求
７Ｄ３    処方データ
【図１】
2011128825.tif 000003
【図２】
2011128825.tif 000004
【図３】
2011128825.tif 000005
【図４】
2011128825.tif 000006
【図５】
2011128825.tif 000007
【図６】
2011128825.tif 000008
【図７】
2011128825.tif 000009
【図８】
2011128825.tif 000010
【図９】
2011128825.tif 000011
【図１０】
2011128825.tif 000012
【図１１】
2011128825.tif 000013
【図１２】
2011128825.tif 000014
【図１３Ａ】
2011128825.tif 000015
【図１３Ｂ】
2011128825.tif 000016
【図１４】
2011128825.tif 000017
【図１５】
2011128825.tif 000018
【図１６】
2011128825.tif 000019